【手続補正書】
【提出日】平成17年12月5日(2005.12.5)
【手続補正１】
【補正対象書類名】明細書
【補正対象項目名】発明の名称
【補正方法】変更
【補正の内容】
【発明の名称】記録方法、記録装置、再生方法、再生装置および記録媒体
【手続補正２】
【補正対象書類名】明細書
【補正対象項目名】特許請求の範囲
【補正方法】変更
【補正の内容】
【特許請求の範囲】
【請求項１】
データを記録媒体に記録する記録方法であって、
前記記録媒体の種類を判別する判別ステップと、
前記判別ステップにおける判別結果に応じて、前記データを前記記録媒体に記録する記録制御方式を選定し、選定された前記記録制御方式に基づいて前記データの前記記録媒体への記録を制御する制御ステップと、を有することを特徴とする記録方法。
【請求項２】
データを記録媒体に記録する記録方法であって、
前記データを前記記録媒体に記録する記録装置の本体の種類を判別する判別ステップと、
前記判別ステップにおける判別結果に応じて、前記データを前記記録媒体に記録する記録制御方式を選定し、選定された前記記録制御方式に応じて前記データの前記記録媒体への記録を制御する制御ステップと、を有することを特徴とする記録方法。
【請求項３】
記録媒体に記録されたデータを再生する再生方法であって、
前記記録媒体の種類を判別する記録媒体判別ステップと、
前記記録媒体の前記データを再生する再生装置本体の種類を判別する再生装置判別ステップと、
前記記録媒体判別ステップと、前記再生装置判別ステップの判別結果に応じて、前記記録媒体に記録された前記データを再生するか否かを制御する制御ステップと、
を有することを特徴とする再生方法。
【請求項４】
データを記録媒体に記録する記録装置であって、
前記記録媒体の種類を判別する判別手段と、
前記判別手段によって、前記データを前記記録媒体に記録する記録制御方式を選定し、選定された記録制御方式で前記データの前記記録媒体への記録を制御する制御手段と、
を備えることを特徴とする記録装置。
【請求項５】
前記判別手段は、
音声データ又は映像データの一方あるいは音声データと映像データとの両方を記録する音声／映像用記録媒体と、汎用データを記録する汎用データ用記録媒体との判別を行うことを特徴とする請求項４記載の記録装置。
【請求項６】
データを記録媒体に記録する記録装置であって、
前記記録装置本体の種類を判別する判別手段と、
前記判別手段によって、前記データを前記記録媒体に記録する記録制御方式を選定し、選定された記録制御方式で前記データの前記記録媒体への記録を制御する制御手段と、
を備えることを特徴とする記録装置。
【請求項７】
前記判別手段は、
音声／映像データを前期記録媒体に記録可能な音声／映像用記録装置であるか、
汎用的な情報処理が可能であると共に音声／映像データを前記記録媒体に記録可能な音声／映像データ用汎用記録装置であるか、
汎用的な情報処理が可能であると共に汎用データを前記記録媒体に記録可能な反応データ用汎用記録装置であるか、
の判別を行うことを特徴とする請求項６記載の記録装置。
【請求項８】
前記データから前記データの識別情報を検出する識別データ検出手段と、
前記データが前記記録媒体に記録されたとき、前記識別データ検出手段により検出された前記識別データを記憶する記憶手段と、を備え、
前記制御手段は、前記記憶手段に前記識別データが記憶されているとき、前記データの前記記録媒体への記録を禁止するように制御する請求項４又は６記載の記録装置。
【請求項９】
前記判別手段は、前記データが等速より高速で記録可能な記録媒体であるか否かを判別し、
前記制御手段は、前記判別結果に応じて前記データの前記記録媒体への記録を制御する請求項４又は６記載の記録装置。
【請求項１０】
前記データを等速で前記記録媒体に記録するか、或いは前記データを前記等速より高速で前記記録媒体で記録するかを選択する記録速度選択手段を備え、
前記制御手段は前記記録速度選択手段で選択された記録速度に応じて前記データの前記記録媒体への記録を制御する請求項４又は６記載の記録装置。
【請求項１１】
前記データから前記データの次世代の複製を制限するための次世代複製制限データを検出する次世代複製制限データ検出手段を備え、
前記制御手段は、前記次世代複製制限データ検出手段により検出された前記次世代複製制限データに基づいて、前記データの前記記録媒体への記録を制御する請求項４又は６記載の記録装置。
【請求項１２】
前記判別手段は、前記記録媒体との双方向通信を行うことにより、前記記録媒体に対して前記データの記録が可能であるか否かを判別し、
前記制御手段は、前記判別結果に応じて前記データの前記記録媒体への記録を制御する請求項４又は６記載の記録装置。
【請求項１３】
記録媒体に記録されたデータを再生する再生装置であって、
前記記録媒体の種類を判別する媒体判別手段と、
前記媒体判別手段による判別結果及び前記再生装置の種類に基づいて、前記記録媒体に記録される前記データを再生するか否かを制御する制御手段と、
を有することを特徴とする再生装置。
【請求項１４】
前記媒体判別手段は、音声／映像データを記録する音声／映像用記録媒体と、汎用データを記録する汎用データ用記録媒体との判別を行う請求項１３記載の再生装置。
【請求項１５】
前記制御手段は、
前記再生装置が、
前記記録媒体に記録される音声／映像データを再生可能な音声／映像用再生装置であるか、
汎用的な情報処理が可能であると共に、前記記録媒体に記録される音声／映像データを再生可能な音声／映像データ用汎用再生装置であるか、或いは
汎用的な情報処理が可能であると共に、前記記録媒体に記録する汎用データを再生可能な汎用データ用汎用再生装置であるか、
に応じて前記記録媒体に記録される前記データを再生するか否かを制御する請求項１４記載の再生装置。
【請求項１６】
前記媒体判別手段による判別結果が、前記汎用データ用記録媒体であると共に、
前記再生装置の種類が、音声／映像用再生装置或いは音声／映像データ用汎用再生装置であるとき、
前記制御手段は、前記記録媒体に記録されるデータの再生を禁止する請求項１５記載の再生装置。
【請求項１７】
記録装置との間で双方向通信を行い、前記記録装置による前記記録媒体に対するデータの書き込みが可能か否かを認証する認証手段と、
前記認証手段の認証結果に応じて、前記記録装置による前記記録媒体に対する前記データの記録を制御する記録制御手段と、を有することを特徴とする記録媒体。
【手続補正３】
【補正対象書類名】明細書
【補正対象項目名】０００１
【補正方法】変更
【補正の内容】
【０００１】
【発明の属する技術分野】
この発明は、例えば、音声信号や映像信号、あるいは、コンピュータデータなどの各種の情報信号を複製（コピー）する場合の方法、装置、記録媒体に記録された情報信号を再生する場合の方法、装置、および情報信号が記録された記録媒体に関する。
【手続補正４】
【補正対象書類名】明細書
【補正対象項目名】００２０
【補正方法】変更
【補正の内容】
【００２０】
以上のことにかんがみ、この発明は、情報信号の利用者の利便性を損なうことなく、情報信号の不正な複製を効果的に防止することができる方法、装置および記録媒体を提供することを目的とする。
【手続補正５】
【補正対象書類名】明細書
【補正対象項目名】００２１
【補正方法】変更
【補正の内容】
【００２１】
【課題を解決するための手段】
上記課題を解決するため、請求項１に記載の発明の記録方法は、
データを記録媒体に記録する記録方法であって、
前記記録媒体の種類を判別する判別ステップと、
前記判別ステップにおける判別結果に応じて、前記データを前記記録媒体に記録する記録制御方式を選定し、選定された前記記録制御方式に基づいて前記データの前記記録媒体への記録を制御する制御ステップと、を有することを特徴とする。
【手続補正６】
【補正対象書類名】明細書
【補正対象項目名】００２２
【補正方法】変更
【補正の内容】
【００２２】
この請求項１に記載の発明の記録方法によれば、記録媒体に情報信号を記録する際に、不正な複製が行なわれる危険性の高い記録媒体には、情報信号の記録を禁止したり、より複製制限の厳しい複製制御方式で複製制御を行うようにし、それ以外の場合には、予め決められた複製制御方式で複製制御が行われる。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】明細書
【補正対象項目名】００４９
【補正方法】削除
【補正の内容】
【手続補正３３】
【補正対象書類名】明細書
【補正対象項目名】００５０
【補正方法】削除
【補正の内容】
【手続補正３４】
【補正対象書類名】明細書
【補正対象項目名】００５１
【補正方法】削除
【補正の内容】
【手続補正３５】
【補正対象書類名】明細書
【補正対象項目名】００５２
【補正方法】削除
【補正の内容】
【手続補正３６】
【補正対象書類名】明細書
【補正対象項目名】００５３
【補正方法】削除
【補正の内容】
【手続補正３７】
【補正対象書類名】明細書
【補正対象項目名】００５４
【補正方法】変更
【補正の内容】
【００５４】
また、請求項２に記載の発明の記録方法は、
データを記録媒体に記録する記録方法であって、
前記データを前記記録媒体に記録する記録装置の本体の種類を判別する判別ステップと、
前記判別ステップにおける判別結果に応じて、前記データを前記記録媒体に記録する記録制御方式を選定し、選定された前記記録制御方式に応じて前記データの前記記録媒体への記録を制御する制御ステップと、を有することを特徴とする。
【手続補正３８】
【補正対象書類名】明細書
【補正対象項目名】００５５
【補正方法】変更
【補正の内容】
【００５５】
この請求項２に記載の記録方法によれば、例えば、情報信号を短時間に多数の記録媒体に記録することができるなど、情報信号の複製を簡単かつ短時間に行うことができる装置などにおいては、情報信号を複製した記録媒体を大量に作成して販売するなどの違法な複製が行なわれる可能性が高いため、複製制限の厳しい複製制御方式が用いられる。また、例えば、等速記録しかできない装置など私的利用の範囲内の複製しかできない装置の場合には、例えばＳＣＭＳ方式やＣＧＭＳ方式などの複製世代制限制御を用いるようにされる。
【手続補正３９】
【補正対象書類名】明細書
【補正対象項目名】００５７
【補正方法】削除
【補正の内容】
【手続補正４０】
【補正対象書類名】明細書
【補正対象項目名】００５８
【補正方法】削除
【補正の内容】
【手続補正４１】
【補正対象書類名】明細書
【補正対象項目名】００５９
【補正方法】削除
【補正の内容】
【手続補正４２】
【補正対象書類名】明細書
【補正対象項目名】００６０
【補正方法】変更
【補正の内容】
【００６０】
【発明の実施の形態】
以下、この発明による方法、装置および記録媒体の一実施の形態について、図を参照しながら説明する。
【手続補正４３】
【補正対象書類名】明細書
【補正対象項目名】００６１
【補正方法】変更
【補正の内容】
【００６１】
［情報信号複製制御方法の概要］
まず、この実施の形態で用いられるこの発明による情報信号複製制御方法（記録方法）および情報信号再生制御方法（再生方法）の概要について説明する。この実施の形態の情報信号複製制御方法は、用いる記録媒体は、どのような情報信号を記録するための記録媒体であるか、コピー（複製）を実行する装置は、どのような情報信号を記録するための装置であるか、さらには、等速コピーと高速コピーのどちらが用いられて情報信号のコピーが実行されるかを考慮して、情報信号のコピー時に用いる複製制御方式を選定する。
【手続補正４４】
【補正対象書類名】明細書
【補正対象項目名】００７２
【補正方法】変更
【補正の内容】
【００７２】
図８は、この実施の形態の情報信号複製制御方法を説明するための図であり、コピーに用いる記録媒体、記録装置および記録速度（等速コピーか、高速コピーか）と、これらの情報に応じて決まる複製制御方式とを対応付けて示したものである。
【手続補正４５】
【補正対象書類名】明細書
【補正対象項目名】００７３
【補正方法】変更
【補正の内容】
【００７３】
まず、音声／映像専用装置を用いる場合であるが、図８に示すように、音声／映像専用装置を用いて、音声／映像用記録媒体に、コンテンツ情報としての楽曲を等速コピーする場合には、楽曲に付加されているＳＣＭＳ情報を用いて、ＳＣＭＳ方式の複製世代制限制御を行う。この記録媒体、記録装置、記録速度の組み合わせ（態様）は、家庭などにおいて行なわれる一般的なコピー時と同じであり、等速コピーでコンテンツ情報をコピーするので、短時間に大量の複製物が作成されることもない。このため、ＳＣＭＳ方式の複製世代制限方式を用いて、複製制御を行うようにする。
【手続補正４６】
【補正対象書類名】明細書
【補正対象項目名】００７６
【補正方法】変更
【補正の内容】
【００７６】
次に、音声／映像用インターフェースを備えた音声／映像用汎用機器を用いる場合であるが、図８に示すように、音声／映像用インターフェースを備えた音声／映像用汎用機器を用いて、音声／映像用記録媒体に、コンテンツ情報を等速コピーする場合には、ＳＣＭＳ方式の複製世代制限制御よりも複製制限の厳しいＵＣＳ方式の複製制御を行う。
【手続補正４７】
【補正対象書類名】明細書
【補正対象項目名】００８０
【補正方法】変更
【補正の内容】
【００８０】
次に、汎用インターフェースを備えた汎用データ用汎用機器を用いる場合であるが、図８に示すように、汎用インターフェースを備えた汎用データ用汎用機器を用いて、音声／映像用記録媒体に情報をコピーしようとする場合には、等速コピーであっても、高速コピーであっても、情報信号のコピーを禁止する。つまり、汎用データ用汎用機器は、例えば、コピーが禁止された音声信号や映像信号などのコンテンツ情報を、複製制限することなく音声／映像用記録媒体にコピーすることができるためである。
【手続補正４８】
【補正対象書類名】明細書
【補正対象項目名】００８１
【補正方法】変更
【補正の内容】
【００８１】
なお、図８に示すように、汎用データ用汎用機器を用いて、汎用データ用記録媒体に情報信号を記録する場合には、複製制限制御が行なわれる保証はない。汎用データ用汎用機器は、汎用データを扱う機器のため、音声信号などのコンテンツ情報のように、ＳＣＭＳ方式の複製世代制限制御やＵＣＳ方式の複製制限制御を行わない場合があるためである。
【手続補正４９】
【補正対象書類名】明細書
【補正対象項目名】０１０９
【補正方法】変更
【補正の内容】
【０１０９】
これにより、図８を用いて前述したように、この音声／映像専用装置において、音声／映像用記録媒体１００Ａに等速コピーでコンテンツ情報としての楽曲をコピーする場合には、ＳＣＭＳ情報検出部１１により検出するＳＣＭＳ情報を用いて、ＳＣＭＳ方式の複製制御を行う。また、この音声／映像専用装置において、データ記憶領域１０１として半導体メモリが用いられ高速コピーが可能な音声／映像用記録媒体に高速コピーでコンテンツ情報としての楽曲をコピーする場合には、コンテンツＩＤ検出部１２により検出するコンテンツＩＤを用いて、ＵＣＳ方式の複製制御を行う。
【手続補正５０】
【補正対象書類名】明細書
【補正対象項目名】０１８５
【補正方法】変更
【補正の内容】
【０１８５】
ステップＳ２０２の判断処理において、認証が取れたと判断した場合には、認証処理部３５２により、スイッチ回路３５１がオンされるので、ＣＰＵ３１は、ＡＶ入出力ボードを通じて供給される音声信号をＡＶ対応インターフェースボード３５に接続するようにされた記録媒体に記録するように各部を制御する。そして、この時、この実施の形態の音声／映像用汎用機器３０は、図８を用いて前述したように、ＵＣＳ方式の複製制御を行うようにする。
【手続補正５１】
【補正対象書類名】明細書
【補正対象項目名】０２０４
【補正方法】変更
【補正の内容】
【０２０４】
また、前述した実施の形態においては、図８を用いて説明したように、どのような情報信号を記録する装置か、その装置により情報信号が記録される記録媒体は、どのような情報信号の記録媒体か、さらに、等速コピーによる記録か、高速コピーによる記録かにより、複製制御方式を選定するようにした。しかし、これに限るものではない。